(57)【要約】【課題】雨水を効率的に利用でき、貯水タンクに貯留しておいた雨水がなくなった場合でも便器の洗浄が可能な、雨水を利用した便器洗浄装置の提供。【解決手段】雨水を利用した便器洗浄装置Ａは、底に連通穴１１を有する第１の貯水区画１と、側壁下部に流出穴２４を有する第２の貯水区画２と、底板に便器への排出流路３３を接続した第３の貯水区画３とを有する貯水槽Ｃと、第３の貯水区画３の水位が下がると雨水供給管４の雨水弁６１を開弁させる第１の浮き６と、第１の貯水区画１の水位が下がると水道水供給管５の水弁５１を開弁させる第２の浮き７とを具備する。通常の使用では、水道水吐出口５１から水道水が貯水タンクＣ内に吐水せず、雨水吐出口４０から雨水が貯水タンクＣ内に吐水する構造であるので雨水の利用率に優れる。また、貯水タンクＣ内の雨水がなくなっても水道水で便器を洗浄することができる。【選択図】図１
2014066073.tif 000002
【特許請求の範囲】
【請求項１】
貯水槽の上部に設けられ、上面が開口し、側壁および連通穴を設けた底板を有する第１の貯水区画と、
筒状を呈し、上開口を前記連通穴を有する底板底面に連結し、下開口を貯水槽の底面に連結し、側壁下部に流出穴を形成した第２の貯水区画と、
前記貯水槽から前記第１、第２の貯水区画を除いたスペースであり、底面に便器への排出流路を接続した第３の貯水区画と、
捕集した雨水を貯水する貯水タンクと、
基端の雨水取込口を前記貯水タンクに接続し、末端の雨水吐出口が前記第１の貯水区画へ臨み、雨水を前記第１の貯水区画へ吐水する雨水供給管と、
末端の水道水吐出口が前記第１の貯水区画へ臨み水道水を前記第１の貯水区画へ吐水する水道水供給管と、
前記雨水吐出口に臨ませた雨水弁と連結するとともに、前記第３の貯水区画に貯留した貯留水の水面に浮かび、前記第３の貯水区画の貯留水の水面が満水位置より下がると前記雨水弁を開弁させる第１の浮きと、
前記水道水吐出口に臨ませた水弁と連結するとともに、前記第１の貯水区画に貯留した貯留水の水面に浮かび、前記第１の貯水区画の貯留水の水面が満水位置より下がると前記水弁を開弁させる第２の浮きとを具備する雨水を利用した便器洗浄装置。
【請求項２】
前記貯水タンクは、複数のプラスチック製の円筒容器であり、
各円筒容器には、内底面の近くでホース開口が下向に開口するサイホンホースが掛け渡されており、
雨樋で捕集した雨水が何れかの円筒容器に貯水ホースにより供給され、
前記雨水供給管の基端の雨水取込口は、何れかの円筒容器の内底面の近くで開口することを特徴とする請求項１記載の雨水を利用した便器洗浄装置。
【請求項３】
前記雨水供給管の前記雨水取込口は、前記サイホンホースの各ホース開口の内、最も高い位置のホース開口より更に高い位置に配置されていることを特徴とする請求項２記載の雨水を利用した便器洗浄装置。
【発明の詳細な説明】
【技術分野】
【０００１】
本発明は、雨水を利用した便器洗浄装置に関する。
【背景技術】
【０００２】
用を足した便器を洗浄する水は、飲料しないため上水道の水を使う必要がなく、雨水を使うこともできる。
しかし、貯留タンク等に貯留しておいた雨水は限りがあるので、貯留しておいた雨水がなくなった場合には、水道水を併用して使う必要がある。
【０００３】
特許文献１〜３には、雨水を利用した便器洗浄装置が開示されている。
【先行技術文献】
【特許文献】
【０００４】
【特許文献１】特許第３４７６２９０号公報
【特許文献２】特許第３７４１７６３号公報
【特許文献３】特許第３５３７２７２号公報
【発明の概要】
【発明が解決しようとする課題】
【０００５】
特許文献１には、雨水ロータンクおよび上水ロータンクにそれぞれ排水レバーを取り付けた２ロータンクトイレが記載されている。
特許文献２には、送水ポンプにより雨水貯留タンクの雨水を水洗タンク内へ送給する雨水利用の便器洗浄水供給装置が記載されている。
特許文献３には、雨水供給管に水道水が流れた時にジェットポンプにより雨水タンク内の雨水を雨水供給管内に汲み入れる水洗トイレ用貯水タンクへの雨水供給装置が記載されている。
【０００６】
特許文献１に記載の２ロータンクトイレは、利用者が雨水ロータンクの排水レバーを積極的に操作しないと雨水の有効利用が図れないとともに、ロータンクの部品（ゴムフロート、フォート管、鎖）が二重に必要になる。
特許文献２に記載の水洗トイレ用貯水タンクへの雨水供給装置は、送水ポンプおよび送水ポンプを動かすための電力が必要である。
特許文献３に記載の水洗トイレ用貯水タンクへの雨水供給装置は、雨水供給管に水道水が流れた時だけ雨水タンク内の雨水が雨水供給管内に汲み入れられるため、雨水の利用率が悪い。
【０００７】
本発明の目的は、雨水を効率的に利用でき、貯水タンクに貯留しておいた雨水がなくなった場合でも便器の洗浄が可能な、雨水を利用した便器洗浄装置の提供にある。
【課題を解決するための手段】
【０００８】
（請求項１について）
貯水槽は、第１の貯水区画と、第２の貯水区画と、第１、第２の貯水区画を除いたスペースであり、底面に便器への排出流路を接続した第３の貯水区画とからなる。
第１の貯水区画は、貯水槽の上部に設けられ、上面が開口し、側壁および連通穴を設けた底板を有する。
【０００９】
第２の貯水区画は、筒状を呈し、上開口を連通穴を有する底板底面に連結し、下開口を貯水槽の底面に連結し、側壁下部に流出穴を形成している。
【００１０】
貯水タンクは、捕集した雨水を貯水する。
雨水供給管は、基端の雨水取込口を貯水タンクに接続し、末端の雨水吐出口が第１の貯水区画へ臨み、雨水を第１の貯水区画へ吐水する。
【００１１】
水道水供給管は、末端の水道水吐出口が第１の貯水区画へ臨み水道水を第１の貯水区画へ吐水する。
第１の浮きは、雨水吐出口に臨ませた雨水弁と連結するとともに、第３の貯水区画に貯留した貯留水の水面に浮かび、第３の貯水区画の貯留水の水面が満水位置より下がると雨水弁を開弁させる。
【００１２】
第２の浮きは、水道水吐出口に臨ませた水弁と連結するとともに、第１の貯水区画に貯留した貯留水の水面に浮かび、第１の貯水区画の貯留水の水面が満水位置より下がると水弁を開弁させる。
【００１３】
雨水を利用した便器洗浄装置は、以下の様に作動する。
雨水を利用した便器洗浄装置を新しく設置した場合で貯水槽が空の場合には、第１、第２の浮きが共に下がった状態になる。また、第３の貯水区画の貯留水を大量に排出流路へ排出して第３の貯水区画の貯留水が殆どなくなった場合でも、第１、第２の浮きが共に下がった状態になる。
【００１４】
捕集された雨水が貯水タンク内に貯水されているため、雨水供給管の雨水取込口から貯水タンク内の雨水が取込まれ、雨水吐出口から雨水が第１の貯水区画へ吐水する。また、水道水供給管の水道水吐出口から水道水が第１の貯水区画へ吐水する。
【００１５】
第１の貯水区画へ吐水した雨水や水道水は、底板の連通穴から第２の貯水区画へ流入し、側壁下部の流出穴から第３の貯水区画へ流入する。
なお、連通穴と流出穴により、第３の貯水区画への流入量が抑制されるので、第１の貯水区画に溜まった水の水面が上昇していき、第１の貯水区画の貯留水の水面が早期に満水位置に達する。このため、第２の浮きにより水弁が閉弁し、水道水吐出口からの水道水の第１の貯水区画への吐水が止まる。
【００１６】
しかし、第３の貯水区画の貯留水の水面が直ぐに満水位置にならないため、雨水吐出口から雨水が第１の貯水区画へ吐水し続ける。なお、第１の貯水区画から溢れた水は、側壁を乗り越えて第３の貯水区画へ進入する。
【００１７】
そして、第３の貯水区画の貯留水の水面が満水位置になると、第２の浮きにより雨水弁が閉弁し、雨水吐出口からの雨水の第１の貯水区画への吐水が止まる。
【００１８】
一方、便器で用を足した場合、第３の貯水区画の貯留水が排出流路へ排出するため第３の貯水区画の貯留水が減少する。この際、第１、第２の貯水区画の貯留水が連通穴と流出穴とを通って第３の貯水区画へ流出するが、流出量＜吐水量のため、水位の低下を招かないので第２の浮きが下がらず、水道水吐出口から第１の貯水区画へ水道水が吐水しない。  よって、この場合、雨水吐出口から雨水が第１の貯水区画へ吐水し、第１の貯水区画から溢れて側壁を乗り越えて第３の貯水区画へ進入し、満水位置まで水位が上昇していく。  
【００１９】
長期間、雨が降らず、貯水タンク内の雨水がなくなった場合には、雨水吐出口から雨水が吐水しないが、吐水水道水吐出口から第１の貯水区画へ水道水が吐水して第３の貯水区画へ流入するので貯水タンクが満水になる。
【００２０】
雨水を利用した便器洗浄装置は、以下の利点を奏する。
通常の使用においては、水道水吐出口から水道水が貯水タンク内に吐水せず、雨水吐出口から雨水が貯水タンク内に吐水する構造であるので雨水の利用率に優れる。
ポンプ等を用いていないので、電力が不要である。
長期間、雨が降らず、貯水タンク内の雨水がなくなっても、水道水吐出口から吐水する水道水により用を足した後の便器を洗浄することができる。
【００２１】
（請求項２について）
雨樋で捕集した雨水が貯水ホースにより、何れかの円筒容器（プラスチック製）に供給される。
雨水供給管の基端の雨水取込口は、何れかの円筒容器の内底面の近くで開口している。  各円筒容器には、内底面の近くでホース開口が下向に開口するサイホンホースが掛け渡されている。
このため、貯水ホースによる雨水の供給や、雨水供給管による雨水の吐出が行われても各円筒容器内の雨水の水位は、サイホンの原理で同程度になる。
よって、大容量の貯水タンクを建造することなく、円筒容器を複数個用意すれば、雨水を大量に貯水することができる。
【００２２】
（請求項３について）
雨水供給管の雨水取込口は、サイホンホースの各ホース開口の内、最も高い位置のホース開口より更に高い位置に配置されている。
これにより、各円筒容器内の雨水が減ってきた場合、雨水供給管内への雨水取込口からの取水が停止するので、サイホンホースのホース開口が水面下に維持される。
このため、各サイホンホース内に空気が混入するのを防止することができ、雨が降って円筒容器に雨水が溜まってくれば、サイホンホースがサイホンとして作動するとともに、雨水取込口から雨水供給管内へ雨水を取込できる。
【図面の簡単な説明】
【００２３】
【図１】実施例１に係る雨水を利用した便器洗浄装置の説明図である。
【図２】（ａ）はその雨水を利用した便器洗浄装置に用いるポリバケツ群の断面図、（ｂ）はそのポリバケツの要部拡大図である。
【図３】雨水供給管がサイホン式の場合の説明図である。
【図４】貯水槽および第１、２、３の貯水区画の変形例１の説明図である。
【図５】貯水槽および第１、２、３の貯水区画の変形例２の説明図である。
【発明を実施するための形態】
【００２４】
雨水を利用した便器洗浄装置は、底に連通穴を有する第１の貯水区画と、側壁下部に流出穴を有する第２の貯水区画と、底板に便器への排出流路を接続した第３の貯水区画とを有する貯水槽と、雨水を貯水する貯水タンクと、貯水タンクの雨水を雨水吐出口から第１の貯水区画へ吐水する雨水供給管と、水道水を水道水吐出口から第１の貯水区画へ吐水する水道水供給管と、第３の貯水区画の貯留水面が満水位置より下がると雨水吐出口の雨水弁を開弁させる第１の浮きと、第１の貯水区画の貯留水面が満水位置より下がると水道水吐出口の水弁を開弁させる第２の浮きとを具備する。
【００２５】
この雨水を利用した便器洗浄装置は、通常の使用においては、水道水吐出口から水道水が貯水タンク内に吐水せず、雨水吐出口から雨水が貯水タンク内に吐水する構造であるので雨水の利用率に優れる。
また、長期間、雨が降らず、貯水タンク内の雨水がなくなっても、水道水吐出口から吐水する水道水により用を足した後の便器を洗浄することができる。
【実施例１】
【００２６】
本発明の実施例１（請求項１、２、３に対応）に係る、雨水を利用した便器洗浄装置Ａを、図１および図２に基づいて説明する。
図に示す如く、雨水を利用した便器洗浄装置Ａは、第１の貯水区画１、第２の貯水区画２、第３の貯水区画３を有する貯水槽Ｃと、貯水槽Ｃより高い位置で雨水を貯水するポリバケツＰ１〜Ｐ４と、ポリバケツＰ１内の雨水を第１の貯水区画１へ吐水する雨水供給管４と、水道水を第１の貯水区画１へ吐水する水道水供給管５と、第３の貯水区画３の貯留水面に浮かぶ第１の浮き６と、第１の貯水区画１の貯留水面に浮かぶ第２の浮き７とを具備する。
【００２７】
貯水槽Ｃ（陶器製）は、上面が開口する断面長方形の函体である。
第１の貯水区画１は、連通穴１１を設けた底板１２と側壁１３とからなる断面長方形の函体（プラスチック製）である。この第１の貯水区画１は、貯水槽Ｃの上部内壁に側壁１３を固定することにより、貯水槽Ｃの上部に設置されている。
【００２８】
第２の貯水区画２は、断面長方形の筒体（プラスチック製）である。上開口２１を連通穴１１を有する底板１２の外面に連結し、下開口２２を貯水槽Ｃの内底面に連結し、側壁２３の下部に流出穴２４を形成している。
【００２９】
第３の貯水区画３は、貯水槽Ｃから第１の貯水区画１および第２の貯水区画２を除いたスペースであり、排水栓３１を着座させた  底面３２に便器への排出流路３３を接続している。
【００３０】
ポリバケツＰ１〜Ｐ４（プラスチック製）は、本実施例では、直径が６０ｃｍ、高さが６６ｃｍ、重さが４ｋｇ、貯水容量が１２０リットルの円筒状の容器である。なお、ポリバケツＰ１〜Ｐ４は、貯水槽Ｃより高い位置であるベランダに載置されている。
【００３１】
ポリバケツＰ１〜Ｐ４の上部側壁には、サイホンホース４１、４２、４３を通すための丸穴ｐが１箇所または２箇所開けられている。そして、蓋ｆにＵ字状の切り欠きｋが形成されている。
また、ポリバケツＰ１〜Ｐ４には、内底面の近くで各ホース開口４１ａ、４１ｂ、４２ａ、４２ｂ、４３ａ、４３ｂが開口するサイホンホース４１、４２、４３が丸穴ｐを挿通して掛け渡されている。
雨樋で捕集した雨水は、ポリバケツＰ２に雨樋案内管ｈ（貯水ホース）により供給されている。
【００３２】
４は雨水供給管であり、その基端の雨水取込口４４は、ポリバケツＰ１の内底面の近くに開口している。
なお、雨水供給管４の雨水取込口４４の下部は、サイホンホース４１、４２、４３の各ホース開口４１ａ、４１ｂ、４２ａ、４２ｂ、４３ａ、４３ｂの内、最も高い位置のホース開口より更に高い位置に配置されている。
【００３３】
水道水供給管５は、基端が水道管に連結され、末端の水道水吐出口５１が第１の貯水区画１へ臨んでいる。
【００３４】
第１の浮き６は、雨水供給管４の雨水吐出口４０に臨ませた雨水弁６１と連結するとともに、第３の貯水区画３に貯留した貯留水ｗ３の水面に浮かび、第３の貯水区画３の貯留水ｗ３の水面が満水位置より下がると雨水弁６１を開弁させる。
【００３５】
第２の浮き７は、水道水供給管５の水道水吐出口５１に臨ませた水弁７１と連結するとともに、第１の貯水区画１に貯留した貯留水ｗ１の水面に浮かび、第１の貯水区画１の貯留水ｗ１の水面が満水位置より下がると水弁７１を開弁させる。
【００３６】
本実施例の雨水を利用した便器洗浄装置Ａは、以下の様に作動する。
雨水を利用した便器洗浄装置Ａを新しく設置した場合で貯水槽Ｃが空の場合には、第１の浮き６および第２の浮き７が共に下がった状態になる。また、第３の貯水区画３の貯留水ｗ３を大量に排出流路３３へ排出して第３の貯水区画３の貯留水ｗ３が殆どなくなった場合でも、第１の浮き６、第２の浮き７が共に下がった状態になる。
【００３７】
捕集された雨水がポリバケツＰ１〜Ｐ４内に貯水されているため、雨水供給管４の雨水取込口４４からポリバケツＰ１内の雨水が取込され、雨水吐出口４０から雨水が第１の貯水区画１へ吐水する。また、水道水供給管５の水道水吐出口５１から水道水が第１の貯水区画１へ吐水する。
【００３８】
第１の貯水区画１へ吐水した雨水や水道水は、底板１２の連通穴１１から第２の貯水区画２へ流入し、側壁下部の流出穴２４から第３の貯水区画３へ流入する。
連通穴１１と流出穴２４により、第３の貯水区画３への流入量が抑制されるので、第１の貯水区画１の貯留水ｗ１の水面が上昇していき、第１の貯水区画１の貯留水ｗ１の水面が早期に満水位置に達する。このため、第２の浮き７により水弁７１が閉弁し、水道水吐出口５１からの水道水の第１の貯水区画１への吐水が止まる。
【００３９】
しかし、第３の貯水区画３の貯留水ｗ３の水面が直ぐに満水位置にならないため、雨水吐出口４０から雨水が第１の貯水区画１へ吐水し続ける。なお、第１の貯水区画１から溢れた水は、側壁１３を乗り越えて第３の貯水区画３へ進入する。
【００４０】
そして、第３の貯水区画３の貯留水ｗ３の水面が満水位置になると、第２の浮き６により雨水弁６１が閉弁するため、雨水吐出口４０からの雨水の第１の貯水区画１への吐水が止まる。
【００４１】
一方、便器で用を足した場合、第３の貯水区画３の貯留水ｗ３が排出流路３３へ排出するため第３の貯水区画３の貯留水ｗ３が減少する。この際、第１の貯水区画１、第２の貯水区画２の貯留水ｗ１、ｗ２が連通穴１１と流出穴２４とを通って第３の貯水区画３へ流出するが、流出量＜吐水量に設定してあるため、第１の貯水区画１の貯留水ｗ１の水位の低下を招かないので第２の浮き７が下がらず、水道水吐出口５１から第１の貯水区画１へ水道水が吐水しない。
よって、この場合、雨水吐出口４０から雨水が第１の貯水区画１へ吐水し、第１の貯水区画１から溢れて側壁１３を乗り越えて第３の貯水区画３へ進入し、満水位置まで水位が上昇していく。
【００４２】
長期間、雨が降らず、貯水タンクＣ内の雨水がなくなった場合には、雨水吐出口４０から雨水が吐水しないが、水道水吐出口５１から第１の貯水区画１へ水道水が吐水して第３の貯水区画３へ流入するので貯水タンクＣが満水になる。
【００４３】
雨水を利用した便器洗浄装置Ａは、以下の利点を奏する。
便器で用を足して水を流す通常の使用においては、水道水吐出口５１から水道水が貯水タンクＣ内に吐水せず、雨水吐出口４０から雨水が貯水タンクＣ内に吐水する構造であるので雨水の利用率に優れる。
ポンプ等を用いていないので、電力が不要である。
長期間、雨が降らず、ポリバケツＰ１〜Ｐ４内の雨水がなくなっても、水道水吐出口５１から吐水する水道水を使って用を足した後の便器を洗浄することができる。
【００４４】
ポリバケツＰ１〜Ｐ４には、内底面の近くでホース開口４１ａ、４１ｂ、４２ａ、４２ｂ、４３ａ、４３ｂが下向に開口するサイホンホース４１、４２、４３が掛け渡されているため、雨樋案内管ｈによる雨水の供給や、雨水供給管４から雨水の排出が行われても各ポリバケツＰ１〜Ｐ４内の雨水の水位は、サイホンの原理で同程度になる。
大容量の貯水タンクを建造することなく、複数個のポリバケツＰ１〜Ｐ４で雨水を大量に貯水することができる。
【００４５】
雨水供給管４の雨水取込口４４の下部は、サイホンホース４１、４２、４３の各ホース開口４１ａ、４１ｂ、４２ａ、４２ｂ、４３ａ、４３ｂの内、最も高い位置のホース開口より更に高い位置に配置されている。
これにより、ポリバケツＰ１〜Ｐ４内の雨水が減ってきた場合、雨水供給管４内への雨水取込口４４からの取水が停止するので、サイホンホース４１、４２、４３のホース開口４１ａ、４１ｂ、４２ａ、４２ｂ、４３ａ、４３ｂが水面下に維持される。
このため、サイホンホース４１、４２、４３内に空気が混入するのを防止することができ、雨が降ってポリバケツＰ２に雨水が溜まってくれば、サイホンホース４１、４２、４３がサイホンとして作動するとともに、雨水取込口４４から雨水供給管４内へ雨水を取込できる。
【００４６】
ポリバケツＰ１〜Ｐ４の上部側壁に、サイホンホース４１、４２、４３を通すための丸穴ｐを開けている。そして、蓋ｆにＵ字状の切り欠きｋをが形成している。
このため、ボーフラの発生を防止できるとともに、ポリバケツＰ１〜Ｐ４内に異物が入ることもない。
【００４７】
本発明は、上記実施例以外に、つぎの実施態様を含む。
ａ．第１、第２の貯水区画は、貯水槽と一体形成されていても良い。
ｂ．第１の貯水区画の側壁が貯水槽の内壁に固着されてなく、且つ、第２の貯水区画の下開口が貯水槽の底面に固着されていない構造であっても良い。  
【００４８】
ｃ．第２の貯水区画内に、更に、流路抑制のための連通穴を開けても良い。
ｄ．貯水槽の形状は、断面長方形以外に円形の円筒形状であっても良い。
ｅ．図３に示す様に、ポリバケツＰ５、Ｐ６、サイホンホース４５を有し、雨水供給管８がサイホン式の場合において、貯水した雨水の水位が限界水位まで下がって最上部８１に空気８２が入っても、Ｕ字状部８３より水平部８４の長さが充分長く、且つ内径が著しく大きくなければ、最上部８１に空気８２は雨水吐出口８５から抜けていく。
ｆ．貯水槽、および第１、２、３の貯水区画の構造は、図４や図５に示す構造（変形例１、２）であっても良い。
【符号の説明】
【００４９】
１  第１の貯水区画
２  第２の貯水区画
３  第３の貯水区画
４  雨水供給管
５  水道水供給管
６  第１の浮き
７  第２の浮き
１１  連通穴
１２  底板
２２  下開口
３３  排出流路
Ｃ  貯水槽
Ｐ１、Ｐ２、Ｐ３、Ｐ４  ポリバケツ（貯水タンク）
４１〜４３  サイホンホース
４４  雨水取込口
６１  雨水弁
５１  水道水吐出口
７１  水弁
【図１】
2014066073.tif 000003
【図２】
2014066073.tif 000004
【図３】
2014066073.tif 000005
【図４】
2014066073.tif 000006
【図５】
2014066073.tif 000007